(57)【要約】【課題】使用者に対して広範囲に水を吐出する場合、シャワーノズルの位置が遠くなり、吐出された水の温度が変化しやすかった。【解決手段】外部から水を供給可能な本体と、本体から延び、本体から供給される水を吐出するノズルをそれぞれ有する第１アーム及び第２アームと、を備え、第１アームは、本体から前方に延びる第１上腕部と、第１上腕部の先端から下方へ延びる第１前腕部とを有し、第２アームは、本体から前方に延びる第２上腕部と、第２上腕部の先端から下方へ延びる第２前腕部とを有し、第１上腕部、第１前腕部、第２上腕部、及び第２前腕部は、それぞれ複数のノズルを有する、シャワー装置。【選択図】図７
2020089440.tif 000002
【特許請求の範囲】
【請求項１】
外部から水を供給可能な本体と、
前記本体から延び、前記本体から供給される水を吐出するノズルをそれぞれ有する第１アーム及び第２アームと、
を備え、
前記第１アームは、前記本体から前方に延びる第１上腕部と、前記第１上腕部の先端から下方へ延びる第１前腕部とを有し、
前記第２アームは、前記本体から前方に延びる第２上腕部と、前記第２上腕部の先端から下方へ延びる第２前腕部とを有し、
前記第１上腕部、前記第１前腕部、前記第２上腕部、及び前記第２前腕部は、それぞれ複数の前記ノズルを有する、
シャワー装置。
【請求項２】
前記第１前腕部は、前記第１前腕部が延びる方向に沿って配置される複数の前記ノズルを有し、前記第１前腕部は、前記第１前腕部の周方向において少なくとも異なる２方向に水を吐出可能であり、
前記第２前腕部は、前記第２前腕部が延びる方向に沿って配置される複数の前記ノズルを有し、前記第２前腕部は、前記第２前腕部の周方向において少なくとも異なる２方向に水を吐出可能である、
請求項１に記載のシャワー装置。
【請求項３】
前記第１前腕部及び前記第２前腕部は、それぞれの先端に前記ノズルを有し、
前記第１前腕部は、前記第１前腕部の周方向において少なくとも異なる３方向に水を吐出可能であり、
前記第２前腕部は、前記第２前腕部の周方向において少なくとも異なる３方向に水を吐出可能である、
請求項２に記載のシャワー装置。
【請求項４】
前記第１前腕部及び前記第２前腕部は、それぞれの先端と側面に前記ノズルを有し、
前記第１前腕部の先端に位置する前記ノズルと、前記第１前腕部の側面に位置する前記ノズルとは、前記第１前腕部の延びる方向に対する配置角度が互いに異なり、
前記第２前腕部の先端に位置する前記ノズルと、前記第２前腕部の側面に位置する前記ノズルとは、前記第２前腕部の延びる方向に対する配置角度が互いに異なる、
請求項２又は３に記載のシャワー装置。
【請求項５】
前記第１上腕部は、前記第１上腕部が延びる方向に沿って配置される複数の前記ノズルを有し、
前記第２上腕部は、前記第２上腕部が延びる方向に沿って配置される複数の前記ノズルを有する、
請求項１から４のいずれか１項に記載のシャワー装置。
【請求項６】
前記第１アームは、前記第１上腕部と前記第１前腕部とを接続する第１エルボ部材を有し、前記第１上腕部及び前記第１前腕部は、前記第１エルボ部材に対して、それぞれの軸周りに回転可能であり、
前記第２アームは、前記第２上腕部と前記第２前腕部とを接続する第２エルボ部材を有し、前記第２上腕部及び前記第２前腕部は、前記第２エルボ部材に対して、それぞれの軸周りに回転可能である、
請求項１から５のいずれか１項に記載のシャワー装置。
【請求項７】
前記第１アーム及び前記第２アームは、前記本体に対して上側及び下側の少なくとも一方に回動可能である、
請求項１から６のいずれか１項に記載のシャワー装置。
【請求項８】
椅子と、
前記椅子の背もたれ部に取り付けられる請求項１から７のいずれか１項に記載のシャワー装置と、
を備えるシャワーシステム。
【発明の詳細な説明】
【技術分野】
【０００１】
本発明は、シャワー装置及びシャワーシステムに関する。
【背景技術】
【０００２】
従来、使用者が座った状態でシャワーを浴びることができるシャワー設備が知られている（例えば、特許文献１参照）。
【先行技術文献】
【特許文献】
【０００３】
【特許文献１】特開２００４−２２３０６０号公報
【発明の概要】
【発明が解決しようとする課題】
【０００４】
従来のシャワー設備では、使用者の身体の広い範囲に適温の水を吐出することが難しかった。例えば、特許文献１記載のシャワーユニット付き椅子では、シャワーノズルを有するアームを左右に広げることにより、湯を吐出する範囲を広げることが可能であった。しかし、シャワーノズルの位置が使用者から遠くなり、吐出された湯の温度が低下しやすかった。
【課題を解決するための手段】
【０００５】
本発明の一態様によれば、外部から水を供給可能な本体と、前記本体から延び、前記本体から供給される水を吐出するノズルをそれぞれ有する第１アーム及び第２アームと、を備え、前記第１アームは、前記本体から前方に延びる第１上腕部と、前記第１上腕部の先端から下方へ延びる第１前腕部とを有し、前記第２アームは、前記本体から前方に延びる第２上腕部と、前記第２上腕部の先端から下方へ延びる第２前腕部とを有し、前記第１上腕部、前記第１前腕部、前記第２上腕部、及び前記第２前腕部は、それぞれ複数の前記ノズルを有する、シャワー装置が提供される。
【０００６】
この構成によれば、第１アーム及び第２アームを使用者の身体に沿わせ、使用者の身体の近くに配置できるので、吐出された水の温度変化を抑制できる。また、第１アーム及び第２アームの各部が複数のノズルを有することにより、使用者の身体の広範囲に水を吐出することができる。したがって、上記シャワー装置によれば、使用者の身体の広い範囲に適温の水を吐出できる。
【０００７】
前記第１前腕部は、前記第１前腕部が延びる方向に沿って配置される複数の前記ノズルを有し、前記第１前腕部は、前記第１前腕部の周方向において少なくとも異なる２方向に水を吐出可能であり、前記第２前腕部は、前記第２前腕部が延びる方向に沿って配置される複数の前記ノズルを有し、前記第２前腕部は、前記第２前腕部の周方向において少なくとも異なる２方向に水を吐出可能である構成としてもよい。
この構成によれば、使用者の前面側に配置される第１前腕部及び第２前腕部から使用者の身体の広範囲に、より確実に水を吐出できる。
【０００８】
前記第１前腕部及び前記第２前腕部は、それぞれの先端に前記ノズルを有し、前記第１前腕部は、前記第１前腕部の周方向において少なくとも異なる３方向に水を吐出可能であり、前記第２前腕部は、前記第２前腕部の周方向において少なくとも異なる３方向に水を吐出可能である構成としてもよい。
この構成によれば、使用者の脚部を含む広範囲に水を吐出できる。
【０００９】
前記第１上腕部は、前記第１上腕部が延びる方向に沿って配置される複数の前記ノズルを有し、前記第２上腕部は、前記第２上腕部が延びる方向に沿って配置される複数の前記ノズルを有する構成としてもよい。
この構成によれば、使用者の肩の近傍に複数のノズルが配置されるため、上半身の広範囲に水を吐出することができる。
【００１０】
前記第１アームは、前記第１上腕部と前記第１前腕部とを接続する第１エルボ部材を有し、前記第１上腕部及び前記第１前腕部は、前記第１エルボ部材に対して、それぞれの軸周りに回転可能であり、前記第２アームは、前記第２上腕部と前記第２前腕部とを接続する第２エルボ部材を有し、前記第２上腕部及び前記第２前腕部は、前記第２エルボ部材に対して、それぞれの軸周りに回転可能である構成としてもよい。
この構成によれば、使用者の前面側に配置される第１前腕部及び第２前腕部を、使用者が自在に動かせるため、使用者自身が水のかかる位置を容易に調整でき、快適にシャワーを浴びることができる。また、体格の異なる使用者にも容易に対応できる。
【００１１】
前記第１アーム及び前記第２アームは、前記本体に対して上側及び下側の少なくとも一方に回動可能である構成としてもよい。
【００１２】
本発明の一態様によれば、椅子と、前記椅子の背もたれ部に取り付けられる上記のシャワー装置と、を備えるシャワーシステムが提供される。
この構成によれば、椅子に腰掛けた状態の使用者に対して、身体の広い範囲に適温の水を吐出できるシャワーシステムが提供される。
【発明の効果】
【００１３】
本発明のシャワー装置によれば、使用者の身体の広い範囲に適温の水を吐出できる。
【図面の簡単な説明】
【００１４】
【図１】図１は、実施形態のシャワーシステムを正面側から見た斜視図である。
【図２】図２は、実施形態のシャワーシステムを背面側から見た斜視図である。
【図３】図３は、一部断面を含むシャワー装置の側面図である。
【図４】図４は、図３のＡ−Ａ線に沿う断面図である。
【図５Ａ】図５Ａは、図３のＢ−Ｂ線に沿う断面図である。
【図５Ｂ】図５Ｂは、図３のＣ−Ｃ線に沿う断面図である。
【図６Ａ】図６Ａは、第１アーム先端のＤ方向矢視図である。
【図６Ｂ】図６Ｂは、図６ＡのＥ−Ｅ線に沿う断面図である。
【図７】図７は、使用状態のシャワーシステムを示す斜視図である。
【図８】図８は、使用状態のシャワーシステムを示す側面図である。
【発明を実施するための形態】
【００１５】
以下、本発明に係るシャワーシステムの一実施形態を、図面を参照して説明する。
図１及び図２に示すように、本実施形態のシャワーシステム１は、椅子１１と、シャワー装置４１と、を備えている。本実施形態のシャワーシステム１は、図７及び図８に示すように、椅子１１に腰掛けた使用者に対してシャワー装置４１から水を吐出し、シャワーを浴びることができるシステムである。
なお、本明細書における水は、温度が高い、低いによらない一般的な水のことを意味し、常温の水、及びシャワー等に用いられる温度の湯等を含む意味である。
【００１６】
椅子１１には、公知の椅子を用いることができる。椅子１１は、浴室等でも使用可能なように、耐水性を有することが好ましい。例えば、椅子１１は、脚部１２と、座部１３と、背もたれ部１４と、肘掛け１５と、を備えている。
以下では、椅子１１に座る使用者にとっての左右方向（第１方向）Ｘ、前後方向（第２方向）Ｙを基準にして説明する。左右方向Ｘは、水平面に沿う方向である。前後方向Ｙは、水平面に沿い、かつ左右方向Ｘに直交する方向である。左右方向Ｘの一方側が右側Ｘ１であり、左右方向Ｘの他方側が左側Ｘ２である。前後方向Ｙの一方側が前方Ｙ１であり、前後方向Ｙの他方側が後方Ｙ２である。
【００１７】
座部１３は、一対の座板１７と、一対の座板１７を連結する連結部材１８と、を備えている。
座板１７は、厚さ方向が上下方向Ｚとなる板状に形成されている。座板１７は、上下方向Ｚから見た平面視で矩形状である。一対の座板１７は、左右方向Ｘに互いに間隔を空けて並ぶ。
連結部材１８は、前後方向Ｙから見たときに、上方が開口するＵ字状である。連結部材１８は、前後方向Ｙに延び、一対の座板１７を下方から支持する。連結部材１８は、一対の座板１７の下面同士を連結する。
連結部材１８は、例えば樹脂により形成される。一対の座板１７は、連結部材１８よりも軟らかい材質であってもよい。
【００１８】
脚部１２は、座部１３を支持するフレーム２５の一部である。フレーム２５は、前脚フレーム２６と、前脚フレーム２６にヒンジ２９を介して連結される２本の後脚２１とを備える。脚部１２は、前脚フレーム２６におけるヒンジ２９よりも下方の部分と、一対の後脚２１とからなる。
【００１９】
前脚フレーム２６は、アルミニウム、ステンレス等の硬質の管材がＵ字状に折り曲げられた部材である。前脚フレーム２６は、左右方向Ｘに互いに間隔を空けて配置された一対の支持片２７と、一対の支持片２７の上部同士を接合する連結片２８と、を有する。
【００２０】
支持片２７は、下方に向かうに従って前方Ｙ１に向かうように傾斜している。各支持片２７は、長手方向の中間部で、ヒンジ２９（一方のヒンジ２９は不図示）により後脚２１の上端部に連結されている。各支持片２７の下端部には、樹脂製のキャップ３２が取付けられている。一対の支持片２７は、ヒンジ２９よりも下側の位置において、連結部材３０により互いに連結されている。連結部材３０は、棒状に形成され、左右方向Ｘに延びている。
【００２１】
連結片２８は、左右方向Ｘに延びる棒状である。なお、支持片２７と連結片２８を異なる材質の部品としてもよい。例えば、支持片２７を金属管からなる構成とし、連結片２８を硬質樹脂からなる構成としてもよい。
【００２２】
後脚２１は、アルミニウム、ステンレス等の管材で形成され、ほぼ真っ直ぐな棒状である。後脚２１は、下方に向かうに従い漸次、後方Ｙ２に向かうように傾斜している。一対の後脚２１は、左右方向Ｘに互いに間隔を空けて配置されている。一対の後脚２１は、左右方向Ｘに延びる棒状の連結部材２３により互いに連結されている。各後脚２１の下端部には、樹脂製のキャップ２２が取付けられている。
【００２３】
後脚２１は、ヒンジ２９を回転軸として支持片２７に対して左右方向Ｘに沿う軸線周りに回転可能である。なお、後脚２１と支持片２７との角度は、所定の角度以上には開かないように、ヒンジ２９または他の規制部材により規制される。
【００２４】
図１及び図２に示すように、椅子１１の上端部に背板３６が配置されている。背板３６は、上下方向Ｚから見たときに、後方Ｙ２に向かって凸となるように湾曲している。背板３６は、前脚フレーム２６の連結片２８に、図示しないボルト等により固定されている。
背もたれ部１４は、背板３６と、連結片２８と、一対の支持片２７におけるヒンジ２９よりも上方の部分とにより構成される。座部１３は、背もたれ部１４よりも前方Ｙ１に配置されている。
【００２５】
肘掛け１５は、本実施形態では椅子１１に一対備えられている。肘掛け１５は、前後方向Ｙに延びている。一対の肘掛け１５は、左右方向Ｘに互いに間隔を空けて並ぶ。各々の肘掛け１５の後端部は、支持片２７におけるヒンジ２９よりも上方の部分に、回転可能に連結されている。肘掛け１５は、左右方向Ｘに沿う軸線周りに回転可能である。
肘掛け１５は、図１に示す状態から上側へ回転可能である一方、図１に示す状態から下方への回転は規制されている。
【００２６】
椅子１１は、図１に示す展開状態から折り畳み可能である。具体的には、前脚フレーム２６に対し、一対の後脚２１を回転させてほぼ平行に配置する。一対の肘掛け１５の前端部を上方に移動させ、一対の肘掛け１５を一対の支持片２７に対してほぼ平行に配置する。以上の操作により、椅子１１を折り畳み状態とすることができる。なお、シャワーシステム１に用いる椅子１１は、折り畳み機能を備えない椅子であっても、肘掛け１５を備えない椅子であってもよい。
【００２７】
シャワー装置４１は、図１及び図２に示すように、本体４２と、第１アーム４３Ａと、第２アーム４３Ｂと、取付部材４５と、を備えている。
【００２８】
本体４２は、左右方向Ｘの両端部に位置する第１アーム接続部４２Ａ及び第２アーム接続部４２Ｂと、本体４２の背面に位置する接続部４４と、下端部に位置する取付部材接続部４２Ｃと、を備える。本体４２は、図３に示すように、内部に水の流路４２ａを有する。流路４２ａは、接続部４４から第１アーム接続部４２Ａ及び第２アーム接続部４２Ｂにそれぞれ延びる。
【００２９】
第１アーム接続部４２Ａには、第１アーム４３Ａが、回転可能に連結される。第１アーム接続部４２Ａを介して、本体４２の流路４２ａと、第１アーム４３Ａ内の水の流路とが接続される。第２アーム接続部４２Ｂには、第２アーム４３Ｂが回転可能に接続される。第２アーム接続部４２Ｂを介して、本体４２の流路４２ａと、第２アーム４３Ｂ内の水の流路とが接続される。
【００３０】
図２および図３に示すように、接続部４４は、図示しない給水ホースが着脱可能に接続されるコネクタである。接続部４４は、本体４２の背面中央部に設けられる。接続部４４は、本体４２の内部に設けられる流路４２ａと、図示しない給水ホースとを接続する。本体４２には、接続部４４を介して給水ホースから水が供給される。接続部４４から供給された水は、流路４２ａを通じて第１アーム４３Ａ及び第２アーム４３Ｂに供給される。
【００３１】
第１アーム４３Ａと第２アーム４３Ｂは、本体４２を左右方向Ｘに挟む。第１アーム４３Ａは本体４２の右側Ｘ１に配置され、第２アーム４３Ｂは本体４２の左側Ｘ２に配置されている。第１アーム４３Ａと第２アーム４３Ｂは、それぞれの基端部同士の間隔が使用者の肩幅程度である。
【００３２】
シャワー装置４１において、第１アーム４３Ａの構成と第２アーム４３Ｂの構成は、第１アーム４３Ａと第２アーム４３Ｂとの間に左右方向Ｘに直交するように規定される基準面に対して面対称である。以下では、主に第１アーム４３Ａの構成について詳細に説明することとし、第２アーム４３Ｂの構成についての説明を部分的に省略する場合がある。例えば、第１アーム４３Ａの第１前腕部４６Ａと、第２アーム４３Ｂの第２前腕部４６Ｂとは、互いに面対称となる構成である。
【００３３】
図１から図３に示すように、第１アーム４３Ａは、第１前腕部４６Ａと、第１エルボ部材４７Ａと、第１上腕部４８Ａとが長さ方向に順に連結された構成を有する。本実施形態では、第１アーム４３Ａは、第１エルボ部材４７Ａの位置で鈍角に折れたＬ字形状である。第１アーム４３Ａの屈曲角度は、特に限定されないが、例えば１１０°〜１５０°の範囲である。
【００３４】
第１上腕部４８Ａは、本体４２から前方Ｙ１へ延びる。第１上腕部４８Ａは、図４に示すように、内部に水の流路４８ａを有する管状部材である。第１上腕部４８Ａは、本実施形態の場合、アクリロニトリル・ブタジエン・スチレン（ＡＢＳ）樹脂、ポリプロピレン（ＰＰ）樹脂等の比較的硬質の材料の材料で形成される。
【００３５】
第１上腕部４８Ａは、基端側に連結部６５Ａを有する。連結部６５Ａは、本体４２に回転可能に連結される。この構成により、第１アーム４３Ａは、連結部６５Ａの回転軸Ｊ１を中心として回転可能である。すなわち、第１アーム４３Ａは、図１及び図２に示す使用状態の姿勢から、跳ね上げまたは押し下げによる姿勢の変更が可能である。
【００３６】
第１上腕部４８Ａの流路４８ａは、連結部６５Ａを介して本体４２の流路４２ａに繋がる。第１上腕部４８Ａは、第１上腕部４８Ａの壁部を貫通する複数のノズルを有する。より詳細には、第１上腕部４８Ａは、背中用ノズル５１Ａと肩用ノズル５２Ａと、を有する。背中用ノズル５１Ａ及び肩用ノズル５２Ａは、第１上腕部４８Ａの流路４８ａに接続される。背中用ノズル５１Ａ及び肩用ノズル５２Ａは、流路４８ａに供給された水を外部に吐出する。上記複数のノズルとしては、多孔ノズルのほか、空円錐ノズル、充円錐ノズルなどを用いることができる。
【００３７】
背中用ノズル５１Ａ及び肩用ノズル５２Ａは、第１上腕部４８Ａが延びる方向に並んで配置される。背中用ノズル５１Ａは第１上腕部４８Ａの後端部側に位置する。肩用ノズル５２Ａは、第１上腕部４８Ａの前端部側に位置する。本実施形態の場合、背中用ノズル５１Ａ及び肩用ノズル５２Ａは、第１上腕部４８Ａの下面に、斜め下側へ水を吐出可能に配置される。すなわち、背中用ノズル５１Ａ及び肩用ノズル５２Ａは、第１上腕部４８Ａから椅子１１側へ向かって水を吐出する。
【００３８】
より詳細には、図４に示すように、背中用ノズル５１Ａは、第１上腕部４８Ａの左側Ｘ２に対して角度αで交差する斜め下方向を向いて配置される。角度αは、左右方向Ｘの左側Ｘ２に対して上側を正の角度、下側を負の角度とした場合に、例えば−６０°である。肩用ノズル５２Ａは、背中用ノズル５１Ａと同様に、左側Ｘ２に対して角度αで交差する斜め下方向を向いて配置される。
【００３９】
背中用ノズル５１Ａ及び肩用ノズル５２Ａが水を吐出する角度は、第１アーム４３Ａと使用者との位置関係に応じて設定される。左右方向Ｘにおいて第１上腕部４８Ａと使用者の肩との距離が遠い場合には、背中用ノズル５１Ａ及び肩用ノズル５２Ａの右側Ｘ１に対する角度αは小さく設定され、距離が近い場合には角度αは大きく設定される。
【００４０】
また、背中用ノズル５１Ａの吐出方向と、肩用ノズル５２Ａの吐出方向を互いに異ならせてもよい。例えば、背中用ノズル５１Ａの吐出方向をやや前側に傾けてもよく、肩用ノズル５２Ａの吐出方向をやや後ろ側に傾けてもよい。
【００４１】
第１エルボ部材４７Ａは、内部に水の流路を有する円筒部材である。第１エルボ部材４７Ａは、側面視で湾曲した形状である。第１エルボ部材４７Ａは、図１および図２に示す設置状態において、前方Ｙ１と上方との間の方向に向かって凸となるように配置されている。第１エルボ部材４７Ａの後端部は、第１上腕部４８Ａの前端部に連結される。第１エルボ部材４７Ａ内の水の流路は、第１上腕部４８Ａの水の流路４８ａに繋がる。
【００４２】
第１エルボ部材４７Ａは、第１上腕部４８Ａに対して、第１上腕部４８Ａの長手方向（前後方向Ｙ）に沿って延びる中心軸周りに回転可能である。すなわち、第１アーム４３Ａは、第１上腕部４８Ａに対して、第１エルボ部材４７Ａ及び第１前腕部４６Ａを左右方向Ｘに振って動かすことができる。
【００４３】
第１エルボ部材４７Ａは、例えば、エラストマー、軟質ウレタン、ゴム等の比較的軟質の材料で形成される。第１エルボ部材４７Ａは、硬質の樹脂または金属により形成してもよい。第１エルボ部材４７Ａの内周面に、防水用のシート（フィルム）を配置してもよい。第１エルボ部材４７Ａを、軟質ウレタンフォーム等の発泡材により形成する場合には、第１エルボ部材４７Ａの外面に発泡倍率が低いスキン層が形成される。このスキン層により、水漏れを防止してもよい。
【００４４】
第１前腕部４６Ａは、図５Ａおよび図５Ｂに示すように、内部に水の流路４６ａを有する管状部材である。第１前腕部４６Ａは、第１エルボ部材４７Ａの前端部に連結される。第１前腕部４６Ａ内の水の流路４６ａは、第１エルボ部材４７Ａ内の水の流路に繋がる。
【００４５】
第１前腕部４６Ａは、第１エルボ部材４７Ａの前端部から、前方Ｙ１に向かうに従い漸次、下方に向かうように傾斜して延びる。第１前腕部４６Ａは、第１上腕部４８Ａと同様に、アクリロニトリル・ブタジエン・スチレン（ＡＢＳ）樹脂、ポリプロピレン（ＰＰ）樹脂等の比較的硬質の材料からなる。したがって第１アーム４３Ａでは、第１前腕部４６Ａ及び第１上腕部４８Ａよりも、第１エルボ部材４７Ａが柔らかく、変形させやすい。
【００４６】
第１前腕部４６Ａは、第１エルボ部材４７Ａに対して、第１前腕部４６Ａの長手方向に沿って延びる中心軸Ｊ３周りに回転可能である。すなわち、第１アーム４３Ａは、第１前腕部４６Ａを、第１上腕部４８Ａに対する相対位置を固定したまま、中心軸Ｊ３周りに回転させることができる。これにより、第１上腕部４８Ａの背中用ノズル５１Ａ及び肩用ノズル５２Ａの位置を固定した状態で、後述する第１前腕部４６Ａの腕部用ノズル５３Ａ、胸部用ノズル５４Ａ、腹部用ノズル５５Ａ、及び大腿部用ノズル５６Ａの使用者に対する配置角度を調整できる。この構成によれば、体格の異なる使用者の身体に対してより確実に水を吐出できる。
【００４７】
第１前腕部４６Ａは、第１前腕部４６Ａの壁部を貫通する複数のノズルを有する。各ノズルは、第１前腕部４６Ａ内部の流路４６ａに繋がる。各ノズルは、流路４６ａに供給された水を外部に吐出する。
【００４８】
第１前腕部４６Ａは、腕部用ノズル５３Ａと、胸部用ノズル５４Ａと、腹部用ノズル５５Ａと、大腿部用ノズル５６Ａと、を有する。
腕部用ノズル５３Ａと、胸部用ノズル５４Ａと、腹部用ノズル５５Ａは、第１前腕部４６Ａの側面に、上側からこの順に並んで配置される。本実施形態の場合、腕部用ノズル５３Ａと、胸部用ノズル５４Ａと、腹部用ノズル５５Ａは、第１前腕部４６Ａの延びる方向に沿ってほぼ等間隔に配置される。腕部用ノズル５３Ａと、胸部用ノズル５４Ａと、腹部用ノズル５５Ａの相互の間隔は、適宜変更可能である。
【００４９】
腕部用ノズル５３Ａ、胸部用ノズル５４Ａ、及び腹部用ノズル５５Ａは、それぞれ、椅子１１に腰掛けた使用者の上腕部、胸部、及び腹部に対して水を吐出可能に配置される。本実施形態の場合、第１アーム４３Ａは、椅子１１の右側Ｘ１に位置するため、腕部用ノズル５３Ａ、胸部用ノズル５４Ａ、及び腹部用ノズル５５Ａは、それぞれ、第１前腕部４６Ａの左下側へ向かって水を吐出する。
【００５０】
より詳細には、図５Ａに示すように、腕部用ノズル５３Ａは、第１前腕部４６Ａの中心軸Ｊ３に直交する断面において、左側Ｘ２に対して角度βで交差する斜め下方向を向いて配置される。角度βは、左右方向Ｘの左側Ｘ２に対して上側を正の角度、下側を負の角度とした場合に、例えば−８０°である。
【００５１】
図５Ｂに示すように、腹部用ノズル５５Ａは、第１前腕部４６Ａの中心軸Ｊ３に直交する断面において、左側Ｘ２に対して角度γで交差する斜め下方向を向いて配置される。角度γは、左右方向Ｘの左側Ｘ２に対して上側を正の角度、下側を負の角度とした場合に、例えば−６０°である。胸部用ノズル５４Ａは、腹部用ノズル５５Ａと同様に、左側Ｘ２に対して角度γだけ斜め下向きに配置される。
【００５２】
大腿部用ノズル５６Ａは、第１前腕部４６Ａの先端に位置する。大腿部用ノズル５６Ａは、腕部用ノズル５３Ａ、胸部用ノズル５４Ａ、及び腹部用ノズル５５Ａと同様に、第１前腕部４６Ａの左側Ｘ２に位置する椅子１１側へ水を吐出可能に配置される。また大腿部用ノズル５６Ａは、第１前腕部４６Ａの斜め前方へ水を吐出する。大腿部用ノズル５６Ａは、図６Ｂに示すように、第１前腕部４６Ａの中心軸Ｊ３に対して、角度δで交差する斜め前方を向いて配置される。角度δは、中心軸Ｊ３に沿って前方側を０°とした場合に、例えば４０°である。すなわち、第１前腕部４６Ａの先端に位置する大腿部用ノズル５６Ａと、第１前腕部４６Ａの側面に位置する胸部用ノズル５４Ａ及び腹部用ノズル５５Ａとは、第１前腕部４６Ａの延びる方向（中心軸Ｊ３の軸方向）に対する配置角度が互いに異なる。
【００５３】
本実施形態では、大腿部用ノズル５６Ａは、図７に示すように、第１前腕部４６Ａから遠い側に位置する使用者の左大腿部に向かって水を吐出する。そのため、大腿部用ノズル５６Ａは、胸部用ノズル５４Ａ及び腹部用ノズル５５Ａよりも内側（左側Ｘ２）を向いて配置される。すなわち、大腿部用ノズル５６Ａは、第１前腕部４６Ａの中心軸Ｊ３に直交する断面において、左側Ｘ２に対して角度γよりも小さい角度で交差する方向を向いて配置される。
なお、大腿部用ノズル５６Ａは、使用者の右大腿部に向かって水を吐出するように配置されていてもよい。
【００５４】
第２アーム４３Ｂは、図１及び図２に示すように、第２前腕部４６Ｂと、第２エルボ部材４７Ｂと、第２上腕部４８Ｂとを備える。第２アーム４３Ｂは、第２上腕部４８Ｂの後端部に設けられる連結部６５Ｂを介して本体４２に連結される。第２アーム４３Ｂは、本体４２に対して、連結部６５Ｂの回転軸Ｊ２を中心として回転可能である。また、第２エルボ部材４７Ｂは、第２上腕部４８Ｂに対して、第２上腕部４８Ｂの中心軸周りに回転可能である。第２前腕部４６Ｂは、第２エルボ部材４７Ｂに対して、第２前腕部４６Ｂの長手方向に沿って延びる中心軸Ｊ４周りに回転可能である。
【００５５】
第２アーム４３Ｂの第２前腕部４６Ｂ、第２エルボ部材４７Ｂ、及び第２上腕部４８Ｂは、第１アーム４３Ａの第１前腕部４６Ａ、第１エルボ部材４７Ａ、及び第１上腕部４８Ａとそれぞれ面対称に構成される。
第２アーム４３Ｂの第２上腕部４８Ｂは、背中用ノズル５１Ｂと、肩用ノズル５２Ｂとを有する。第２前腕部４６Ｂは、腕部用ノズル５３Ｂと、胸部用ノズル５４Ｂと、腹部用ノズル５５Ｂと、大腿部用ノズル５６Ｂと、を有する。第２アーム４３Ｂの各ノズルは、第１アーム４３Ａの各ノズルと面対称に構成される。
【００５６】
取付部材４５は、図２に示すように、第１支持バー７１Ａ及び第２支持バー７１Ｂと、基台部８１と、第１ボルト８２Ａ及び第２ボルト８２Ｂと、を有する。
第１支持バー７１Ａ及び第２支持バー７１Ｂは、本実施形態の場合、アルミニウム、ステンレス等からなる金属パイプである。第１支持バー７１Ａ及び第２支持バー７１Ｂは、それぞれ上下方向Ｚに延びる。第１支持バー７１Ａの上端部及び第２支持バー７１Ｂの上端部は、本体４２の取付部材接続部４２Ｃに固定される。
【００５７】
基台部８１は、図示しないボルトにより椅子１１の背もたれ部１４に取り付けられる。基台部８１は、第１支持バー７１Ａ及び第２支持バー７１Ｂが挿入される第１受け部８４Ａ及び第２受け部８４Ｂを有する。第１受け部８４Ａ及び第２受け部８４Ｂは、基台部８１を上下方向に貫通する２つの貫通孔である。
【００５８】
第１受け部８４Ａに挿入される第１支持バー７１Ａは、基台部８１のねじ孔に螺合する第１ボルト８２Ａにより基台部８１に固定される。第２受け部８４Ｂに挿入される第２支持バー７１Ｂは、基台部８１のねじ孔に螺合する第２ボルト８２Ｂにより基台部８１に固定される。
【００５９】
基台部８１は、第１支持バー７１Ａ及び第２支持バー７１Ｂを位置決めする第１位置決め機構８５Ａ及び第２位置決め機構８５Ｂを有する。第１支持バー７１Ａは、第１支持バー７１Ａが延びる方向に沿って並ぶ複数の位置決め孔７２Ａを有する。図示されていないが、第２支持バー７１Ｂも、第１支持バー７１Ａと同様の複数の位置決め孔を有する。
【００６０】
第１位置決め機構８５Ａは、第１支持バー７１Ａの位置決め孔７２Ａに抜き差し可能な位置決めピンと、上記位置決めピンを左右方向Ｘに移動させる操作部とを含む。取付部材４５において、第１位置決め機構８５Ａの位置決めピンを、第１支持バー７１Ａのいずれかの位置決め孔７２Ａに挿入することで、第１支持バー７１Ａを上下方向Ｚにおいて位置決め可能である。
第２位置決め機構８５Ｂは、第１位置決め機構８５Ａと同様の構成を備え、第２支持バー７１Ｂを、上下方向Ｚにおいて位置決め可能である。
上記操作により、取付部材４５に支持されるシャワー装置４１の高さ位置を調整できる。
【００６１】
第１支持バー７１Ａ及び第２支持バー７１Ｂは、それぞれの上端部の近傍に、第１ストッパー７５Ａ及び第２ストッパー７５Ｂを有する。第１ストッパー７５Ａ及び第２ストッパー７５Ｂは、第１受け部８４Ａ及び第２受け部８４Ｂの上端に引っ掛かる突起部である。第１ストッパー７５Ａ及び第２ストッパー７５Ｂを備えることにより、シャワー装置４１を最も低い位置に配置したときでも、本体４２と背もたれ部１４との接触を防止できる。
【００６２】
次に、以上のように構成されたシャワーシステム１の動作について説明する。
【００６３】
図７及び図８に示すように、使用者Ｐは、背もたれ部１４の前方Ｙ１で椅子１１に座る。シャワー装置４１の第１アーム４３Ａは、使用者Ｐの背後から右肩の上側を通って前方へ延び、第１前腕部４６Ａが上側から下側へ回り込んで、使用者Ｐの右半身の前面と対向して配置される。第２アーム４３Ｂは、使用者Ｐの背後から左肩の上側を通って前方へ延び、第２前腕部４６Ｂが上側から下側へ回り込んで、使用者Ｐの左半身の前面と対向して配置される。
【００６４】
使用者Ｐは、第１アーム４３Ａ及び第２アーム４３Ｂに設けられた複数のノズル５１Ａ〜５６Ａ及びノズル５１Ｂ〜５６Ｂから吐出される水Ｗを浴び、シャワーを浴びる。
使用者Ｐは、第１上腕部４８Ａ及び第２上腕部４８Ｂの背中用ノズル５１Ａ、５１Ｂ及び肩用ノズル５２Ａ、５２Ｂにより、主に背中と肩口にシャワーを浴びることができる。
使用者Ｐは、第１前腕部４６Ａ及び第２前腕部４６Ｂの腕部用ノズル５３Ａ、５３Ｂ、胸部用ノズル５４Ａ、５４Ｂ、並びに腹部用ノズル５５Ａ、５５Ｂにより、両腕と上半身の前面側に全体的にシャワーを浴びることができる。
【００６５】
使用者Ｐは、第１前腕部４６Ａ及び第２前腕部４６Ｂの大腿部用ノズル５６Ａ、５６Ｂにより、大腿部を含む下半身にシャワーを浴びることができる。本実施形態のシャワーシステム１では、図７に示すように、使用者Ｐの右側に位置する大腿部用ノズル５６Ａから吐出される水が使用者Ｐの左大腿部に供給され、使用者Ｐの左側に位置する大腿部用ノズル５６Ｂから吐出される水が使用者Ｐの右大腿部に供給される。この構成によれば、大腿部の上面だけでなく、血管が集中する内腿に水を当てることができる。本実施形態によれば、脚部への温浴効果が高いシャワー装置４１及びシャワーシステム１が提供される。
【００６６】
以上説明したように、本実施形態のシャワー装置４１及びシャワーシステム１では、屈曲形状の第１アーム４３Ａ及び第２アーム４３Ｂを用いることにより、第１アーム４３Ａ及び第２アーム４３Ｂを使用者の身体に沿わせ、使用者の身体の近くに配置できる。これにより、吐出された水が使用者の身体に到達するまでの間に温度変化するのを抑制できる。そして、第１アーム４３Ａの第１上腕部４８Ａ及び第１前腕部４６Ａ、並びに第２アーム４３Ｂの第２上腕部４８Ｂ及び第２前腕部４６Ｂは、それぞれ複数のノズルを有する。この構成により、使用者の身体の広範囲に水を吐出することができる。以上より、本実施形態のシャワー装置４１及びシャワーシステム１によれば、使用者の身体の広い範囲に適温の水を吐出できる。
【００６７】
本実施形態のシャワー装置４１及びシャワーシステム１では、第１前腕部４６Ａは、第１前腕部４６Ａの周方向における吐出角度が異なる腕部用ノズル５３Ａと、胸部用ノズル５４Ａ及び腹部用ノズル５５Ａと、を有し、少なくとも異なる２方向に水を吐出可能である。また第２前腕部４６Ｂは、第２前腕部４６Ｂの周方向における吐出角度が異なる腕部用ノズル５３Ｂと、胸部用ノズル５４Ｂ及び腹部用ノズル５５Ｂと、を有し、少なくとも異なる２方向に水を吐出可能である。この構成によれば、使用者の前面側に配置される第１前腕部４６Ａ及び第２前腕部４６Ｂから使用者の身体の広範囲により確実に水を吐出できる。
【００６８】
本実施形態のシャワー装置４１及びシャワーシステム１では、第１前腕部４６Ａ及び第２前腕部４６Ｂは、それぞれの先端に大腿部用ノズル５６Ａ、５６Ｂを有する。第１前腕部４６Ａは、第１前腕部４６Ａの周方向において少なくとも異なる３方向に水を吐出可能であり、第２前腕部４６Ｂは、第２前腕部４６Ｂの周方向において少なくとも異なる３方向に水を吐出可能である。この構成によれば、使用者の脚部を含む広範囲に水を吐出できる。
【００６９】
本実施形態のシャワー装置４１及びシャワーシステム１では、第１上腕部４８Ａは、第１上腕部４８Ａが延びる方向に沿って配置される背中用ノズル５１Ａと肩用ノズル５２Ａとを有する。第２上腕部４８Ｂは、第２上腕部４８Ｂが延びる方向に沿って配置される背中用ノズル５１Ｂと肩用ノズル５２Ｂとを有する。
このように配置することで、第１上腕部４８Ａの背中用ノズル５１Ａ及び肩用ノズル５２Ａと、第２上腕部４８Ｂの背中用ノズル５１Ｂ及び肩用ノズル５２Ｂを、使用者の肩の前後に配置できるので、使用者の肩周りの広範囲に効率よく水を吐出できる。
【００７０】
本実施形態のシャワー装置４１及びシャワーシステム１では、第１アーム４３Ａは、第１上腕部４８Ａと第１前腕部４６Ａとを接続する第１エルボ部材４７Ａを有し、第１上腕部４８Ａ及び第１前腕部４６Ａは、第１エルボ部材４７Ａに対して、それぞれの軸周りに回転可能である。第２アーム４３Ｂは、第２上腕部４８Ｂと第２前腕部４６Ｂとを接続する第２エルボ部材４７Ｂを有し、第２上腕部４８Ｂ及び第２前腕部４６Ｂは、第２エルボ部材４７Ｂに対して、それぞれの軸周りに回転可能である。
この構成によれば、使用者の前面側に配置される第１前腕部４６Ａ及び第２前腕部４６Ｂを、使用者が自在に動かせるため、使用者自身が水のかかる位置を容易に調整でき、快適にシャワーを浴びることができる。また、体格の異なる使用者にも容易に対応できる。
【００７１】
本実施形態では、第１アーム４３Ａ及び第２アーム４３Ｂは、本体４２に対して上側及び下側の少なくとも一方に回動可能である。この構成によれば、シャワー装置４１を使用しないときに、第１アーム４３Ａ及び第２アーム４３Ｂを、跳ね上げまたは押し下げることで、本体４２の前方Ｙ１へ突出しない位置に収納できる。本実施形態によれば、非使用時に第１アーム４３Ａ及び第２アーム４３Ｂが邪魔になりにくいシャワーシステム１が提供される。
【００７２】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
【００７３】
第１前腕部４６Ａ、第１エルボ部材４７Ａ、及び第１上腕部４８Ａは、接着等により相互に接合されてもよい。第２前腕部４６Ｂ、第２エルボ部材４７Ｂ、及び第２上腕部４８Ｂは、接着等により相互に接合されてもよい。
第１エルボ部材４７Ａ及び第２エルボ部材４７Ｂは、変形容易な部材でなくてもよい。
シャワー装置４１は、椅子１１に取り付けなくてもよい。例えば、シャワー装置４１の本体４２を、浴室の壁面に設置される支柱等の支持部に取り付けてもよい。
【符号の説明】
【００７４】
１…シャワーシステム
１１…椅子
１４…背もたれ部
４１…シャワー装置
４２…本体
４３Ａ…第１アーム
４３Ｂ…第２アーム
４６Ａ…第１前腕部
４６Ｂ…第２前腕部
４７Ａ…第１エルボ部材
４７Ｂ…第２エルボ部材
４８Ａ…第１上腕部
４８Ｂ…第２上腕部
５１Ａ〜５６Ａ，５１Ｂ〜５６Ｂ…ノズル
Ｗ…水
【図１】
2020089440.tif 000003
【図２】
2020089440.tif 000004
【図３】
2020089440.tif 000005
【図４】
2020089440.tif 000006
【図５Ａ】
2020089440.tif 000007
【図５Ｂ】
2020089440.tif 000008
【図６Ａ】
2020089440.tif 000009
【図６Ｂ】
2020089440.tif 000010
【図７】
2020089440.tif 000011
【図８】
2020089440.tif 000012